【事件の表示】
　平成　７年特許願第３４２６９１号「液晶表示装置の空冷構造」拒絶査定に対する審判事件〔平成　９年　７月１５日出願公開、特開平　９−１８５０２８、請求項の数（４）〕について、次のとおり審決する。
【結　論】
　原査定を取り消す。
　本願の発明は、特許すべきものとする。
【理　由】
１．手続の経緯・本願発明
　本願は、平成７年１２月２８日に出願され、その後、平成１３年９月２５日付け手続補正書、及び平成１４年２月１４日付け手続補正書がそれぞれ提出されたが、平成１４年２月１４日付けの手続補正は、本審決と同日付けでなされた補正却下の決定により却下されたので、本願の請求項1に係る発明は、平成１３年９月２５日付けの手続補正書により補正された明細書及び図面の記載からみて、その特許請求の範囲の請求項1に記載された以下のとおりのものである。
  「投影する画像が表示される液晶パネルおよび偏光板を含む液晶表示部と、この表示部に光を投射する光源とを有して、表示部の透過光により
映像を外部の映写面に投影する投写型液晶表示装置において、
　液晶表示部内に冷却風を通す通風部を設けて、この通風部の冷却風流入口にその一部を塞ぐ閉塞部材を設け、この閉塞部材は、冷却風の経路を変化させて冷却風を、冷却が必要な目的箇所に冷却風を集中的に導くように、冷却風流入口に前記液晶パネルの幅方向に沿う端部から中央部に向けて突出して形成されると共に、該液晶パネルおよび入射側偏光板側の間の通風部の第１の閉塞部材と、前記液晶パネルと出射側偏光板の間の通風部の第２の閉塞部材とが、それぞれの突出高さが異なるものとされたことを特徴とする液晶表示装置の空冷構造。」
２．原査定の理由
  これに対して、原査定の拒絶の理由は、
Ａ．この出願の各請求項に係る発明は、その出願の日前の特許出願であって、その出願後に出願公開がされた下記の特許出願の願書に最初に添付された明細書又は図面(以下、先願明細書1、先願明細書２、先願明細書３という。)に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない、及び
Ｂ．この出願の各請求項に係る発明は、下記の刊行物(以下、引用例１〜引用例５という。）に記載された発明に基づいて当業者が容易に発明をすることができたものであるから、特許法第２９条第２項の規定により、特許を受けることができない、というにある。
　　　　　　　　　　　　　　　　　記
先願明細書1　特願平７−３４９１１号(特開平８−２３４１５５号公報）
先願明細書２　特願平６−３２５２７６号(特開平８−１９４２０１号公報　　　　　　　）
先願明細書３　特願平６−１５４７１６号(特開平８−２９８７４号公報）
引用例1　　　実願昭６３−１５９７９３号(実開平２−８１５２７号)のマ　　　　　　　イクロフィルム
引用例２　　　特開平１−２８９９１２号公報
引用例３　　　特開昭６４−８４２９０号公報
引用例４　　　特開平１−１５８４８０号公報
引用例５　　　特開平６−２８１９０５号公報
３．引用刊行物記載の発明
（１）先願明細書
  先願明細書1（特願平７−３４９１１号(特開平８−２３４１５５号公報））には、
　「光源と該光源からの光を偏光する装置と、・・・・・・・とからなる投射型画像表示装置であって、・・・・・・・温度上昇する液晶パネルと偏光板を冷却するための冷却ファンユニットとを有し、該冷却ファンユニットは、吸気用冷却ファンとダクトとカバーとからなり、該ダクトのＲＧＢに対応した吹き出し口に、液晶パネルおよび偏光板に所定風量を分配する分配案内板を、少なくとも前記吹き出し口のいずれか１つに、構成したことを特徴とする投射型画像表示装置。（特許請求の範囲の請求項１）、
　「図１、図２において、ＲＧＢの吹き出し口２４には、冷却ファン４の回転方向２５に相対抗するように第１の案内板２６が連続して構成されている。該第１の案内板の高さは、ダクト１９を形造るリブ１９ａと同じ高さに構成される。Ｂの吹き出し口２４Ｂには、前記第１の案内板２６に平行に第２の案内板３０（分配案内板）が構成される。
該分配案内板３０の高さは、前記第１の案内板より低く設定される。」（段落0020）、
　「図７は第１の案内板２６と分配案内板３０を同時に構成した場合の風速分布である。図７に示すように分配案内板３０の作用により、該分配案内板真下で強い風速Ｗ0が新たに得られ、グラフに示すような風速分布となる。従って、分配案内板３０の下に構成される偏光板の冷却が促進され、液晶パネル、偏光板ともに効率よく冷却することができる。」（段落0023）との記載事項が、
  　また、先願明細書２（特願平６−３２５２７６号(特開平８−１９４２０１号公報））には、
　「スクリーンに投射すべき画像を表示する液晶パネルと、前記液晶パネルに光源からの光を投射して画像を形成し投射レンズにて拡大画像を得る液晶プロジェクターにおいて、前記液晶パネルを冷却するための冷却風を起こす冷却ファンと、冷却風を前記液晶パネルに導く導風ダクトとを備え」（特許請求の範囲の請求項１）、
　「冷却ファン９とその導風板１０が筐体１００の側面に設けられ、液晶パネル５及び偏光フィルター板４等を冷却している。」（段落0003）との記載事項が、
　　さらに、先願明細書３（特願平６−１５４７１６号(特開平８−２９８７４号公報））には、
　「スクリーン（９）に投影されるべき画像が表示される液晶パネル（３）と、前記液晶パネル（３）に光を投射する光源（４）と、該光を偏光
させる偏光板（１，２）と、前記液晶パネル（３）及び前記偏光板（１，２）を冷却する冷却用ファン（５）と、前記冷却用ファン（５）からの冷却風を前記液晶パネル（３）及び前記偏光板（１，２）に導く風導（６）と、を具備する液晶プロジェクタ装置において、
　前記液晶パネル（３）及び前記偏光板（１，２）の各中央部を集中的に冷却するために、前記風導（６）からの前記冷却風を該各中央部に集中させる整流フィン（７，８）をさらに具備することを特徴とする液晶プロジェクタ装置。」（特許請求の範囲の請求項１）、
　「第３の発明に係る実施例について図６により説明する。この実施例は、図６に示すように、液晶パネルと偏光板とが離れている場合に、液晶パネル及び偏光板の各々に２つの整流フィン７，８を取り付けるようにしたものである。」（段落0022）との記載事項が、
それぞれ記載されている。
（２）引用例
　引用例1（実願昭６３−１５９７９３号(実開平２−８１５２７号)のマイクロフィルム）には、
　「冷却装置を液晶表示体の外周端に配置し、液晶表示体の表裏両面を冷却する・・・・・液晶表示体の冷却構造」(実用新案登録請求の範囲の第2項)、
　「ここで第1図を元に、ファン24による液晶表示体１の冷却方法について述べると(図中の矢印の通りに空気が流れる)、ファン24により裏ケース22に形成された吸入口25より吸入された外気は、空調室23内の一部に形成された孔26、・・・・・・流れ込み、一方は上ガラス基板6とカバーガラス21下面に配置された偏光板20との間を冷却しながら通り抜ける、他方は下ガラス基板7と・・・偏光板9との間を冷却しながら通り抜ける。」
（第６頁第１７行−第７頁第１０行参照）との記載事項が、
　引用例２（特開平１−２８９９１２号公報）には、
　「光源からの出射高を・・・・・表示装置において、前記液晶ライトバルブの下部に配置し・・・・偏光板の冷却手段を包含する基台を配し、・・・・・ガイド板に導風構造を設け、前記基台の上部に前記導風構造と相対位置を成す通風孔を設けた」(特許請求の範囲)、
　「基台8は又、その上部の導風構造10Rとの相対位置に通風孔9Rを有し、冷却ファン7によって生じた風をその通風口9Rに収束させる。通風孔９Ｒに収束した風は・・・・・・風とに別れ、前者は液晶ライトバルブ3Rと出射側偏光板13Rとの間及び液晶ライトバルブ3Rと入射側偏光板12Rとの間を通り・・・・・・吹き抜ける。後者はガイド板6Rに設けられた導風構造10Rによってその方向を偏光板12Ｒ方向に変えられ、・・・・・・・偏光板12Ｒ表面の熱を奪い、偏光板12Rによって方向を変えられて外部へ吹き抜ける。」（第３頁上左欄第３行−第１７行）との記載事項が、
  引用例３（特開昭６４−８４２９０号公報）には、
　「更にケース10内にはファン5と・・・・空気整流板6が取り付けられ、・・・・・・・・。ファン5により吸気孔9から取り込まれた外部の空気は矢印で示すように空気整流板６に導かれ液晶ライトバルブ1に吹きつけられ、液晶ライトバルブ1を冷却し」（第２頁上左欄第１４行−第20行）との記載事項が、
　引用例４（特開平１−１５８４８０号公報）には、
　「第2図において、冷却ファン12を吹き付け式として用いた場合、・・・第1の偏光板３Ｂは冷却ファンの直線的な風によって冷却され・・・・・・・、液晶ライトバルブ5Bは・・・・・・・・・の下部から吹き込む風とガイド板6Bに設けた窓から吹き込む風とによって、十分に冷却される。この時、冷却ファン12の上部に導風板15Bを設けることによって、冷却能力を一層向上することができる。」（第２頁下右欄第５行−第１５行）との記載事項が、
　そして、引用例５（特開平６−２８１９０５号公報）には、
　「【請求項１】液晶パネルと入射側偏光板との間に設けられた平板状の冷却路と、少なくとも前記冷却路の流入口に設けられ、前記冷却路の幅方向において、中央部分が最大風量で両側部分が最小風量となる風量分布を形成する風量調整部材とで構成され、
　前記冷却路に冷却風が流れると、前記液晶パネルの中央部分の冷却を最大、周辺部分の冷却を最小とすることを特徴とする液晶表示パネルの冷却機構。
　　【請求項２】少なくとも前記冷却路の流入口が、前記冷却路の厚さ方向に傾斜して形成され、流入した冷却風を液晶パネル面に当てて、液晶パネルの中央部分の冷却を最大、前後部分の冷却を最小とすることを特徴とする請求項１に記載の液晶表示パネルの冷却機構。」（特許請求の範囲）との記載事項が、
それぞれ記載されている。
４.当審の判断
（１）理由Ａについて
　本願の請求項１に係る発明は、通風部の冷却風流入口にその一部を塞ぐ閉塞部材を設け、この閉塞部材は、冷却風の経路を変化させて冷却風を、冷却が必要な目的箇所に冷却風を集中的に導くように、冷却風流入口に前記液晶パネルの幅方向に沿う端部から中央部に向けて突出して形成されると共に、該液晶パネルおよび入射側偏光板側の間の通風部の第１の閉塞部材と、前記液晶パネルと出射側偏光板の間の通風部の第２の閉塞部材とが、それぞれの突出高さが異なるものとされた点にその特徴を有するものであるが、上記先願明細書1に記載された、高さの異なる第1の案内板と第2の案内板、上記先願明細書２に記載された導風板、上記先願明細書３に記載された整流フィンはいずれも、通風部を閉塞する部材ではなく、本願の請求項１に係る発明の閉塞部材に相当するものではない。
　よって、各先願明細書には、本願の請求項１に係る発明の上記特徴を有していない。
  したがって、本願の請求項１に係る発明は、各先願明細書に記載された発明と同一ではない。
（２）理由Ｂについて
　本願の請求項１に係る発明は、通風部の冷却風流入口にその一部を塞ぐ閉塞部材を設け、この閉塞部材は、冷却風の経路を変化させて冷却風を、冷却が必要な目的箇所に冷却風を集中的に導くように、冷却風流入口に前記液晶パネルの幅方向に沿う端部から中央部に向けて突出して形成されると共に、該液晶パネルおよび入射側偏光板側の間の通風部の第１の閉塞部材と、前記液晶パネルと出射側偏光板の間の通風部の第２の閉塞部材とが、それぞれの突出高さが異なるものとされた点にその特徴を有するものであるが、上記引用例1には、冷却風が、液晶表示体の前後に配置された偏光板の間をそれぞれ直線的に流れていくことが単に記載されているだけで、また、上記引用例２には、一方の冷却風は、液晶ライトバルブの前後に配置された、出射側及び入射側の偏光板の間をそれぞれ直線的に流れていくことが単に記載されているだけである。さらに、引用例2に記載された導風構造、上記引用例３に記載された空気整流板、上記引用例4に記載された導風板、上記引用例５に記載された風量調整部材はいずれも、通風部を閉塞する部材ではなく、本願の請求項１に係る発明の閉塞部材に相当するものではない。
　よって、各引用例には、本願の請求項１に係る発明の上記特徴を有していない。
　以上のように、引用例１〜引用例５のいずれにも、上記本願の請求項１に係る発明の特徴は記載されていない。
　したがって、本願の請求項１に係る発明は、引用例１〜引用例５に記載の発明に基づいて当業者が容易に発明をすることができたものとすることはできない。
５．むすび
　以上のとおりであるから、本願の請求項１に係る発明は、上記各先願明細書に記載された発明と同一であるとも、また上記各引用例に記載の発明に基づいて当業者が容易に発明をすることができたものとすることはできない。
　また、他に本願を拒絶すべき理由を発見しない。
　　よって、結論のとおり決定する。